(57)【要約】【課題】ノートパソコンの外部機器に接続してハードディスクドライブのデータを転送するために、ノートパソコンのカバーを外し、開口部の非常に狭い範囲でロック機構を解除し外部機器への接続を行っていた。【解決手段】ノートパソコン１１内部に配置され、ロック機構を備えた外部インターフェースコネクタ２１のロック解除レバー２４の解除動作を容易にするコネクタ着脱装置であって、ノートパソコンは、ノートパソコン外装ケースの一部を構成し、ケーブル接続時に取り外す開口部のカバー１３を備え、このカバーには外部インターフェースコネクタのロック解除レバーの解除動作を容易にする爪形状のフック２２を一体に備える。【選択図】図２
2007279870.tif 000002
【特許請求の範囲】
【請求項１】
携帯型情報処理装置の内部に配置され、ロック機構を備えた外部インターフェースコネクタのロック解除レバーの解除動作を容易にするコネクタ着脱装置であって、
前記携帯型情報処理装置は、
当該携帯型情報処理装置の外装ケースの一部を構成し、ケーブル接続時に取り外す蓋体を備え、
前記蓋体は、
前記外部インターフェースコネクタのロック解除レバーの解除動作を容易にする爪形状のフックを一体に備えることを特徴とする携帯型情報処理装置のコネクタ着脱装置。
【請求項２】
前記フックは前記携帯型情報処理装置の外装ケースに前記蓋体に嵌合するフックと兼用することを特徴とする請求項１に記載の携帯型情報処理装置のコネクタ着脱装置。
【発明の詳細な説明】
【技術分野】
【０００１】
本発明は、携帯型情報処理装置（以下ノートパソコン）のコネクタ着脱装置に関するものである。
【背景技術】
【０００２】
近年、急速にパーソナルコンピュータが普及し、現在では家庭、オフィスでの使用、あるいは屋外へノートパソコンを携帯しての利用などが増加しており、これらの機器における使用方法も多様である。その反面、携帯するが故にノートパソコンを誤って落下させることなどにより故障に直面することも多々ある。
【０００３】
場合によってはハードディスクドライブ内のデータのバックアップ、リカバリーといった修理作業も必要になる。
【特許文献１】実開昭５８−１０６９９３号公報
【発明の開示】
【発明が解決しようとする課題】
【０００４】
ノートパソコンのハードディスクドライブ内のデータを外部に転送する場合には、ハードディスクドライブそのものを、製品分解し取り外しした後に外部接続を行うか、もしくは、プリント基板に実装された外部インターフェースコネクタを介して外部機器への接続を行っていた。この外部インターフェースコネクタには、ケーブルが外れにくくするロック機構が付属されていることが多く、ロック解除レバーによりこのロック機構解除後、コネクタ、ケーブルを接続する必要がある。
【０００５】
本発明は上記従来の問題点を解決するもので、外部機器に接続してハードディスクドライブのデータを転送するために、外部インターフェースコネクタのロック機構を解除しコネクタ着脱を容易にすることを目的とする。
【課題を解決するための手段】
【０００６】
本発明の請求項１に記載の発明は、
携帯型情報処理装置の内部に配置され、ロック機構を備えた外部インターフェースコネクタのロック解除レバーの解除動作を容易にするコネクタ着脱装置であって、
前記携帯型情報処理装置は、
当該携帯型情報処理装置の外装ケースの一部を構成し、ケーブル接続時に取り外す蓋体を備え、
前記蓋体は、
前記外部インターフェースコネクタのロック解除レバーの解除動作を容易にする爪形状のフックを一体に備えることを特徴とする携帯型情報処理装置のコネクタ着脱装置としたものであり、
これによりプリント基板近傍のパターンを傷つけることなく、ハードディスクのケーブルのコネクタの着脱が容易となるという作用を有する。
【０００７】
請求項２に記載の発明は、
前記フックは前記携帯型情報処理装置の外装ケースに前記蓋体に嵌合するフックと兼用することを特徴とする請求項１に記載の携帯型情報処理装置のコネクタ着脱装置としたものであり、
これにより元々携帯型情報処理装置の本体とカバーとを嵌合するフックと、コネクタ着脱をも容易にするコネクタ着脱装置を兼用することができ、新たにコネクタ着脱装置を用意する必要がなくなる。
【発明の効果】
【０００８】
以上のように本発明は、外部機器接続用の開口部のカバーにフックを設けることにより、外部接続用に使用するケーブルと外部インターフェースコネクタとの着脱を容易にする。また、ハードディスク接続用ケーブルの外部インターフェースコネクタの着脱が容易になるために、コネクタ着脱時に誤って近傍のプリント基板パターンを傷つけることもない。
【発明を実施するための最良の形態】
【０００９】
（実施の形態１）
図１は本発明のノートパソコンの本体裏面の図である。
【００１０】
図１において、１１はノートパソコン本体であり本体裏面を示している。１２は外部機器接続用の開口部、１３はその開口部のカバー（蓋体）である。
【００１１】
図２はノートパソコン本体１１の開口部１２を拡大した図であり、開口部１２のカバー１３を外した状態である。
【００１２】
図２において、２１はプリント基板２３上に配置している外部機器接続用に使用する外部インターフェースコネクタある。この外部インターフェースコネクタ２１には、不用意にケーブルが外れないようにロック機構のロック解除レバー２４が施されている。開口部１３の非常に狭い範囲でのコネクタ着脱については、指を入れてロック解除レバー２４を緩め、コネクタ着脱をするのが難しいため、カバー１３の先端にロック解除用の爪形状のフック２２が設けられている。
【００１３】
図３はカバー１３に設けられたフック２２を用いてロック解除レバー２４を解除する動作手順を説明する図である。
【００１４】
以上のように構成されたノートパソコンのコネクタ着脱装置について、図１、図２、図３を用いてその動作を説明する。
【００１５】
まず、ノートパソコン１１の開口部１２のカバー１３を外す。図３において、カバー１３の先端に設けられたロック解除用のフック２２をロック解除レバー２４とプリント基板２３の隙間に図３（ａ）矢印の方向に挿入し、図３（ｂ）において矢印方向にカバー１３に力を加えながらロック解除レバー２４を起こして外部インターフェースコネクタ２１のロックを解除する（図３（ｃ））。
【００１６】
図２において、カバー１３の先端の一対のフック２２の取り付け位置は、一対のロック解除レバー２４の取り付け位置に対応して配置されているので、２カ所のロック解除を同時に行うことができる。このようにして外部接続用に使用するケーブル（図示せず）と外部インターフェースコネクタ２１との着脱を容易にすることが可能になる。
【００１７】
以上のように本実施の形態によれば、外部機器接続用の開口部カバーにフックを設けることにより、外部接続用に使用するケーブルと外部インターフェースコネクタとの着脱を容易にする。また、ハードディスク接続用ケーブルの外部インターフェースコネクタの着脱が容易になるために、コネクタ着脱時に誤って近傍のプリント基板パターンを傷つけることもない。
【００１８】
なお、以上の説明ではフック２２はコネクタのロック解除用としたが、フック２２を図４のようにノートパソコン本体１１の開口部１２のカバー１３のフック機構を兼用してもよい。
【産業上の利用可能性】
【００１９】
本発明にかかる携帯型情報処理装置のコネクタ着脱装置は、外部機器接続用の開口部のカバーにフックを設けることにより、外部接続用に使用するケーブルと外部インターフェースコネクタとの着脱を容易にするといった効果を有し、携帯型情報処理装置のコネクタ着脱装置等として有用である。
【図面の簡単な説明】
【００２０】
【図１】本発明のノートパソコンの本体裏面の図
【図２】ノートパソコン本体の開口部を拡大した図
【図３】カバーに設けられたフックを用いてロック解除レバーを解除する動作手順を説明する図
【図４】ノートパソコン本体の開口部のカバーのフック機構を兼用したことを説明する図
【符号の説明】
【００２１】
１１  携帯型情報処理装置（ノートパソコン）本体
１２  外部機器接続用の開口部
１３  開口部のカバー
２１  外部インターフェースコネクタ
２２  フック
２３  プリント基板
２４  ロック解除レバー
【図１】
2007279870.tif 000003
【図２】
2007279870.tif 000004
【図３】
2007279870.tif 000005
【図４】
2007279870.tif 000006